(57)【特許請求の範囲】
【請求項１】
電動送風機を内蔵した電気掃除機本体と、回転自在に設けられた手元操作体を一端に有しこの一端に延長管が接続され他端が前記電気掃除機本体に接続されるホースとから構成され、
該手元操作体は、前記ホースの回転体を回転自在に保持するとともに上側に開口部を有する回転体保持部と、前記延長管と前記ホースの回転体とを通過して塵埃を案内する塵埃案内管部と、該塵埃案内管部及び回転体保持部の上部から突設され前記開口部を内部に有するように形成された中空の手元グリップ部とから構成されるとともに前記電動送風機の動作を操作するための操作スイッチを備え、
前記回転体保持部には、前記操作スイッチと電気的に接続される固定接点を内接し且つ前記開口に取り付けられた接点蓋を設けるとともに、前記回転体の周面に前記電動送風機側と電気的に接続された環状接片を取り付けてこれらの環状接片及び固定接点を介して前記操作スイッチと前記電動送風機側とを電気的に接続させて、前記回転体の回転に拘らず操作スイッチの操作により電動送風機の動作を制御可能にした電気掃除機であって、
前記接点蓋を前記開口部に取り付けるとともに、前記手元グリップ部の中空内部に収納することにより、前記接点部及び前記環状切片を２重に覆う構成としたことを特徴とする電気掃除機。
【請求項２】
前記固定接点を前記手元操作体の重心位置に配置させたことを特徴とする請求項１に記載の電気掃除機。
【発明の詳細な説明】
【０００１】
【発明の属する技術分野】
この発明は、電動送風機を内蔵した電気掃除機本体と、電動送風機の動作を操作するための操作スイッチを設けた手元操作体と、塵埃を電気掃除機本体へ案内するホースとを備え、このホースの一端を回転体を介在させて手元操作体に接続させてホースのよじれを防止した電気掃除機に関する。
【０００２】
【従来の技術】
従来、図８に示すようなホースのよじれを防止した電気掃除機１が知られている。この電気掃除機１は、電動送風機を内蔵した電気掃除機本体２と、この本体と着脱自在に接続される塵埃を電気掃除機本体２へ案内する蛇腹ホース３と、回転体４を介在させることにより蛇腹ホース３を回転自在に接続した手元操作体５と、この手元操作体４に延長管６を介して着脱自在に接続される吸込口体７とから大略構成されている。
【０００３】
この手元操作体５は、図９に示すように、回転体４を回転自在に保持する回転体保持部８と、塵埃を案内する曲折された塵埃案内部９と、この塵埃案内部９の上部から突設され延長管６の中心線Ｏ６の延長線上であって延長管６との接続部に対向して設けられた手元グリップ部１０とを備え、この手元操作体５の上面であって、手元グリップ部１０の基部側１０ａには、電動送風機の動作を操作するための操作スイッチＳが設けられている。
【０００４】
この回転体４は、蛇腹ホース３に固定されて接続されるホース接続部４ａと、塵埃案内部９の回転体保持部８に回転可能に電気的に接続される摺接部４ｂと、回転体保持部８に接続保持される接続部４ｃとから構成されている。このホース接続部４ａの外周は蛇腹ホース３の一端側に内接固定され、接続部４ｃの一端は塵埃案内部９に接続され、ホース接続部４ａとホース３との接続部は回転体４に固定された保護カバーＣにより保護されている。
【０００５】
この回転体保持部８の上面（手元グリップ部１０の下方）には、図１０、図１１に示すように、開口１１が形成され、この開口１１の周囲には、嵌合部１６が形成され、この嵌合部に接点蓋１２が嵌合されてこの開口１１は閉鎖されている。また、この接点蓋１２の内面には、操作スイッチＳからリード線Ｌ（不図示）により電気的に接続された接点板１３が固定されている。
【０００６】
一方、摺動部４ｂの外周には、電動送風機と蛇腹ホースに巻装されて電動送風機と電気的に接続させるためのリード線Ｒに接続固定（不図示）された環状の接片（摺動板）１４が設けられている。この環状接片１４は、接点板１３の先端に設けられた固定接点１５に弾性的に付勢されて接続されている。これにより、蛇腹ホース３が回転体４と共に回転しても、環状接片１４と固定接点１５とは、常に接続され、操作スイッチＳと電動送風機とが常に電気的に接続される。
【０００７】
【発明が解決しようとする課題】
しかしながら、この電気掃除機は、回転体保持部８に開口１１を形成し、この開口１１を接点蓋１２で閉鎖しているので、この接点蓋１２と嵌合部１６との間の隙間からゴミなどが侵入し、環状接片１４や固定接点１５にそのゴミが付着して接点不良を起こすおそれがある。
【０００８】
そこで、この発明は、上記欠点に鑑みなされたもので、接点蓋を設けた電気掃除機であって、接点不良を起こすことの少ない電気掃除機を提供することを目的とする。
【０００９】
【課題を解決するための手段】
この発明は、上記目的を達成するため、電動送風機を内蔵した電気掃除機本体と、回転自在に設けられた手元操作体を一端に有しこの一端に延長管が接続され他端が前記電気掃除機本体に接続されるホースとから構成され、該手元操作体は、前記ホースの回転体を回転自在に保持するとともに上側に開口部を有する回転体保持部と、前記延長管と前記ホースの回転体とを通過して塵埃を案内する塵埃案内管部と、該塵埃案内管部及び回転体保持部の上部から突設され前記開口部を内部に有するように形成された中空の手元グリップ部とから構成されるとともに前記電動送風機の動作を操作するための操作スイッチを備え、
前記回転体保持部には、前記操作スイッチと電気的に接続される固定接点を内接し且つ前記開口に取り付けられた接点蓋を設けるとともに、前記回転体の周面に前記電動送風機側と電気的に接続された環状接片を取り付けてこれらの環状接片及び固定接点を介して前記操作スイッチと前記電動送風機側とを電気的に接続させて、前記回転体の回転に拘らず操作スイッチの操作により電動送風機の動作を制御可能にした電気掃除機であって、
前記接点蓋を前記開口部に取り付けるとともに、前記手元グリップ部の中空内部に収納することにより、前記接点部及び前記環状切片を２重に覆う構成としたことを特徴とする。
【００１０】
また、この固定接点は、手元操作体の重心位置、例えば、延長管の延長線上に配置させることが好ましい。
【００１１】
【作用】
この発明による電気掃除機では、ホースと手元操作体とが回転体を介して電気的に接続可能な状態で回転自在に接続され、手元操作体を回転させても手元操作体に設けられた操作スイッチを操作することにより電気掃除機本体に内蔵された電動送風機を常に操作することができるとともに、ホースのよじれを防止することができる。
【００１２】
また、この発明の電気掃除機は、接点蓋を回転体保持部の上側に形成された開口部に取り付けるとともに手元グリップ部の中空内部に収納したので、回転体の外周部に設けた環状接片と固定接点とが接点蓋と手元グリップ部との２重に保護されることになり、これにより、長期間の使用においても接点不良を起こすことが少なくなる。
【００１３】
また、この固定接点を手元操作体の重心位置に配置させることにより、手元操作部の回転重心が、この延長管の回転中心線の近傍に位置されることにより手元操作部を回転させた場合の回転操作性が向上される。
【００１４】
【実施例】
以下、この発明に係る電気掃除機の実施例を図面に基づいて説明する。
【００１５】
図１において、２０は電気掃除機本体で、この本体２０内には、集塵室２１に設置された集塵フィルタ２２と、集塵室２１を負圧にする電動送風機２３等とが設けられている。さらに、本体２０には集塵フィルタ２２内と連通した接続口２５が設けられている。接続口２５には、電源供給線(図示せず)に接続された電源接続部２６と電動送風機２３を制御する図示しない制御装置の信号線(図示せず)に接続された信号接続部２７とが設けられている。
【００１６】
符号３０は可撓性のホースで、このホース３０の一端部に接続口２５に着脱可能に接続される接続部３１が設けられており、この接続部３１には、電源接続部２６に接続される電源プラグ３２a,３２bと、信号接続部２７に接続される信号用の接続ピン３３a,３３bとが設けられている。
【００１７】
符号４０は操作体、符号４１は延長管、符号４２は吸込口体である。この吸込口体４２には、回転清掃体である回転ブラシ４３と、回転ブラシ４３を回転させる駆動モータ４４とが設けられている。
【００１８】
操作体４０は、図２に示すように、操作部４６を設けた操作体上部４０ａと操作管（塵埃案内部）４７を主体とする操作体本体４０ｂとから大略構成され、操作体本体４０ｂの上方から操作体上部４０ａを嵌合させて一対のビス４０ｃ、４０ｃなどにより一体に固定されて把持部（手元グリップ）４５が形成されている。
【００１９】
操作部４６には、回転ブラシ４３の駆動モータ４４をオン・オフさせる操作スイッチＳ1と電動送風機２３の強弱を設定する操作スイッチＳ2と被清掃体の種類に応じて電動送風機２３を制御させる操作スイッチＳ3と電動送風機２３をオン・オフさせる操作スイッチＳ4とが設けられている。
【００２０】
操作管４７の一端には延長管４１を接続する接続口４７aが設けられており、操作管４７の他端には、回転体５０を保持する回転体保持部４８が設けられている。この回転体保持部４８の一端側の内周面には後述する摺動部５４を回転自在に係合する係合部４８aが形成され、また回転体保持部４８の上側には開口４８bが形成されている。
【００２１】
回転体５０は、図３〜図５に示すように、符号Ｑを回転中心として回転する筒本体５１から構成され、筒本体５１には、ホース３０の他端を接続固定するホース接続部５２と、摺接部５３と、回転体保持部４８に回転自在に接続される接続部５４とが設けられ、この摺接部５３と接続部５４とは、図２に示すように、操作体本体４０ｂ内（手元グリップ４５の基部４５ａ内）に収納されている。また、接続部５４には、シール部材を取り付ける溝Ｕが設けられている。
【００２２】
ホース接続部５２には、図４に示すように、ホース３０を固定するための突起Ｔが設けられ、ホース３０は、この突起Ｔに固定されて接続部５２に固定されており、その接続部５２は、回転体５０に固定された保護カバーＣにより保護されている。
【００２３】
摺接部５３には、周方向に延びた複数の環状リブ５６…が所定間隔を隔てて設けられており、各環状リブ５６…間には溝６７…が形成された状態となっている。この溝６７の両片には、環状接片としての各摺接板１０１〜１０４を当接して保持する当接面６７ａ…が各々形成されている。この溝６７…には、それぞれリード線Ｒ１〜Ｒ４が埋め込まれている。
【００２４】
各当接面６７aと６７a…には、各摺接板１０１〜１０４が、図５に示すように、リング状（環状）に装着されている。この各摺接板１０１〜１０４は、それぞれ各リード線Ｒ１〜Ｒ４に電気的に接続固定されている。また、この摺接板１０１〜１０４は、リング部材１１０により図示を略す箇所で固定されている。
【００２５】
このリード線Ｒ1,Ｒ2は、ホース接続部５２にホース３０を接続した際に、ホース３０内を通した電源供給線(図示せず)に接続され、リード線Ｒ3,Ｒ4はホース３０内を通した信号線(図示せず)に接続されている。また、ホース３０内を通した電源供給線は電源プラグ３３a,３３bに接続され、ホース３０内を通した信号線は接続ピン３２a,３２bに接続されている。
【００２６】
接続部５４の溝Ｕにシール部材Ｖを取り付け、この回転体５０を操作体４０の回転体保持部４８内に挿入させることにより、筒本体５１の接続部５４を回転体保持部４８の係合部４８aに回転可能に係合させて操作管４７と回転体５０とが接続される。
【００２７】
一方、接点蓋４９には、図６、図７に示すように、二股に分かれた接点板４９a〜４９dが取り付けられており、接点板４９a〜４９dには接点４９e〜４９hが設けられている。接点板４９a,４９bが駆動モータ４４用の電源供給線Ｌ1,Ｌ2に接続され、接点板４９c,４９dが信号線Ｌ3,Ｌ4に接続されている。
【００２８】
信号線Ｌ3,Ｌ4は、操作体４０内に設けた回路基板Ｇの回路(図示せず)に接続され、この回路基板と各スイッチＳ１〜Ｓ４とが接続されている。また、電源供給線Ｌ1は操作スイッチＳ１を介して駆動モータ４４へ接続され、他方の電源供給線Ｌ2は直接駆動モータ４４へ接続されている。
【００２９】
開口４８bに、この接点蓋４９を取り付けることにより、摺接板１０１〜１０４と接点蓋４９に取り付けた接点４９e〜４９hとが接触する。
【００３０】
このホース３０の接続部３１を掃除機本体２０の接続口２３に接続すれば、その接続部３１は電源プラグ３２a,３２bにより位置が決定され、これにより摺接板１０１〜１０４の突合せ部１０１d〜１０４dの位置も電源プラグ３２a,３２bに対して位置が決定される。
【００３１】
この状態で吸込口体４２を移動させるとその移動する向きによって操作体４０を回転させるので、ホース３０がよじれようとするが、回転体５０が操作体４０に対して相対回転するので、ホース３０のよじれは防止される。
【００３２】
また、ホース３０と操作体４０とを相対的に回転させた場合にも、摺接板１０１〜１０４は環状であるので、常にホース３０と操作体４０とが電気的に接続可能な状態を維持できる。
【００３３】
これにより、この実施の形態に係る電気掃除機では、手元操作体を回転させても手元操作体に設けられた操作スイッチを操作することにより電気掃除機本体に内蔵された電動送風機を常に操作することができるとともに、ホースのよじれを防止することができる。
【００３４】
また、この実施の形態では、接点蓋４９が手元グリップ部４５の中空部に収納されているので、接点蓋４９を外から視認できなくなり見栄えが良くなっている。また、この接点蓋４９を取り付けるための開口４８bを手元グリップ部（把持部）４５の中空部に設けたので、固定接点１５と環状切片１４とから構成される摺動接点が接点蓋４９と手元グリップ４５との２重に保護されることになる。このため、この摺動接点の汚れが少なくなり、長期間の使用においても接点不良を起こすことが少なくなる。
【００３５】
また、図９に示す従来の操作体５では、延長管６を回転中心Ｏ６として回動させた場合、操作体５の回転操作性が必ずしも良好ではない。これは、回転体保持部８が回動中心Ｏ６から離れていること、及び、ホース接続部４ａに接続されたホース３０の荷重の影響などにより、手に負担が大きくかかるためと考えられる。
【００３６】
これに対して、この実施の形態に係る電気掃除機では、この固定接点１５が配置される接点蓋４９を延長管４１の延長線上（回動中心Ｏ６上）に配置させることにより、手元操作体４０の重心位置Ｇ４０が回動中心Ｏ６に近くなり、また、これにより、ホース接続部５２と回転中心Ｏ６との距離が近くなり、回動中心Ｏ６を中心として回動させた際の荷重が低減されて回動操作性が向上されている。
【００３７】
【発明の効果】
以上説明したように、この発明の電気掃除機は、接点蓋を回転体保持部の上側に形成された開口部に取り付けるとともに手元グリップ部の中空内部に収納したので、回転体の外周部に設けた環状接片と固定接点とが接点蓋と手元グリップ部との２重に保護されることになり、これにより、長期間の使用においても接点不良を起こすことが少なくなる。
【図面の簡単な説明】
【図１】この発明に係る電気掃除機の外観を示した斜視図である。
【図２】操作体を示した一部切欠側面図である。
【図３】筒体を示した縦断面図である。
【図４】筒体にリード線を配した側面図である。
【図５】筒体に摺接板を装着した状態を示した側面図である。
【図６】接点蓋の内面を示した平面図である。
【図７】図２のＢ−Ｂ線で切断した際の端面図である。
【図８】従来の電気掃除機の外観を示した斜視図である。
【図９】図８の操作体を示した側面図である。
【図１０】図８の操作体を示した一部切欠側面図である。
【図１１】図１０のＡ−Ａ線で切断した際の端面図である。
【符号の説明】
２０              電気掃除機本体
２３              電動送風機
３０              ホース
４０              手元操作体
４２              吸込口体
４９e〜４９h     接点
５０              回転体
１０１〜１０４    摺接板
【図１】
0003888803.tif 000002
【図２】
0003888803.tif 000003
【図３】
0003888803.tif 000004
【図４】
0003888803.tif 000005
【図５】
0003888803.tif 000006
【図６】
0003888803.tif 000007
【図７】
0003888803.tif 000008
【図８】
0003888803.tif 000009
【図９】
0003888803.tif 000010
【図１０】
0003888803.tif 000011
【図１１】
0003888803.tif 000012